(57)【特許請求の範囲】
【請求項１】
抵抗体を，適宜の比抵抗を有する金属板にてチップ型にして，この抵抗体の下面における左右両端に半田付け用の端子電極を設けて成るチップ抵抗器において，
前記金属板製抵抗体の下面のうち前記両端子電極の間の部分に絶縁膜を形成する一方，前記金属板製抵抗体のうち前記両端子電極の間の部分に，少なくとも一つの調節孔を，当該調節孔の軸線が前記抵抗体の側面から横向きに延びるように穿設して，この調節孔内に，当該調節孔における内面に密接するように構成した導電体製の調節棒を，当該調節孔における軸線方向に差し込み調節可能に挿入することを特徴とする可変式チップ抵抗器。
【請求項２】
前記請求項１の記載において，前記抵抗体のうち前記調節孔の部分を，前記抵抗体を構成する金属板を円筒形に突出変形して成るバーリングに構成することを特徴とする可変式チップ抵抗器。
【請求項３】
前記請求項１又は２の記載において，前記調節棒を，その外周面に前記調節孔の内面に螺合する雄ねじ山を有するねじ体に構成することを特徴とする可変式チップ抵抗器。
【請求項４】
前記請求項３の記載において，前記ねじ体のうちドライバ工具の係合部を備えた頭部と前記抵抗体との間に，ばね座金を介挿することを特徴とする可変式チップ抵抗器。
【請求項５】
前記請求項３又は４の記載において，前記ねじ体が，その外周の雄ねじ山によって前記調節孔の内面に雌ねじを刻設するようにしたタッピンねじ体であることを特徴とする可変式チップ抵抗器。
【請求項６】
前記請求項１ないし５のいずれかの記載において，前記調節棒を，前記抵抗体における比抵抗より低い比抵抗の材料製にすることを特徴とする可変式チップ抵抗器。
【発明の詳細な説明】
【技術分野】
【０００１】
本発明は，低い抵抗値を有するように金属板を使用して成るチップ抵抗器のうち，抵抗値を可変できるように構成したチップ抵抗器に関するものである。
【背景技術】
【０００２】
従来，この種の低い抵抗値を有するチップ抵抗器は，例えば，特許文献１及び２等に記載されているように，抵抗体を，適宜の比抵抗を有する金属板にてチップ型にして，この抵抗体の左右両端に，半田付け用の端子電極を設けるという構成にしている。
【特許文献１】特開２００４−２２６５８号公報
【発明の開示】
【発明が解決しようとする課題】
【０００３】
この構成によるチップ抵抗器における全抵抗値は，金属材料における比抵抗値，前記抵抗体における両端子電極間の長さ寸法，前記抵抗体における厚さ寸法及び幅寸法によって決まるものである。
【０００４】
そこで，前記した特許文献１及び２においては，前記抵抗体のうち両端子電極の部分に，トリミング溝を刻設することによって，その全抵抗値が所定になるように調整しているが，このトリミング調節には，多大の手数を必要とするばかりか，このトリミング調整後において，前記全抵抗値を自在に，且つ，精密に変更することができないという問題があった。
【０００５】
本発明は，前記した構成のチップ抵抗器における全抵抗値を，極く簡単な構成によって，自在に変更すること，つまり，可変にすることを技術的課題とするものである。
【課題を解決するための手段】
【０００６】
この技術的課題を達成するため本発明の請求項１は，
「抵抗体を，適宜の比抵抗を有する金属板にてチップ型にして，この抵抗体の下面における左右両端に半田付け用の端子電極を設けて成るチップ抵抗器において，
前記金属板製抵抗体の下面のうち前記両端子電極の間の部分に絶縁膜を形成する一方，前記金属板製抵抗体のうち前記両端子電極の間の部分に，少なくとも一つの調節孔を，当該調節孔の軸線が前記抵抗体の側面から横向きに延びるように穿設して，この調節孔内に，当該調節孔における内面に密接するように構成した導電体製の調節棒を，当該調節孔における軸線方向に差し込み調節可能に挿入する。」
ことを特徴としている。
【０００７】
本発明の請求項２は，
「前記請求項１の記載において，前記抵抗体のうち前記調節孔の部分を，前記抵抗体を構成する金属板を円筒形に突出変形して成るバーリングに構成する。」
ことを特徴としている。
【０００８】
本発明の請求項３は，
「前記請求項１又は２の記載において，前記調節棒を，その外周面に前記調節孔の内面に螺合する雄ねじ山を有するねじ体に構成する。」
ことを特徴としている。
【０００９】
本発明の請求項４は，
「前記請求項３の記載において，前記ねじ体のうちドライバ工具の係合部を備えた頭部と前記抵抗体との間に，ばね座金を介挿する。」
ことを特徴としている。
【００１０】
本発明の請求項５は，
「前記請求項３又は４の記載において，前記ねじ体が，その外周の雄ねじ山によって前記調節孔の内面に雌ねじを刻設するようにしたタッピンねじ体である。」
ことを特徴としている。
【００１１】
本発明の請求項６は，
「前記請求項１ないし５のいずれかの記載において，前記調節棒を，前記抵抗体における比抵抗より低い比抵抗の材料製にする。」
ことを特徴としている。
【発明の効果】
【００１２】
前記したように，抵抗体のうちその両端における両端子電極の間の部分に，少なくとも一つの調節孔を穿設して，この調節孔内に，当該調節孔における内面に密接するように構成した導電体製の調節棒を，当該調節孔における軸線方向に差し込み調節可能に挿入することにより，前記抵抗体における両端子電極間における全抵抗値は，前記調節棒の調節孔に対する差し込み深さを深くしたときには低く，差し込み深さを浅くしたときには大きくなるから，前記全抵抗値を，前記調節棒の前記調節孔内に対する差し込み調節によって，任意に変更することができ，しかも，この全抵抗値の可変は，当該チップ抵抗器の製造中は勿論のこと，当該チップ抵抗器をプリント基板等に対して実装した後の状態においても行うことができる。
【００１３】
この場合，前記調節棒によって全抵抗値の可変範囲は，前記調節棒の調節孔に対する差し込みストロークに比例し，この差し込みストロークは，前記抵抗体における板厚さに比例するから，前記抵抗体における全抵抗値を高くするために，その板厚さを薄くしたときには，全抵抗値の可変範囲は小さくなる一方，前記全抵抗値の可変範囲を大きくするために，その板厚さを厚くしたときには，全抵抗値が低くなる。
【００１４】
そこで，前記請求項２に記載したように，前記抵抗体のうち前記調節孔の部分を，前記抵抗体を構成する金属板を円筒形に突出変形して成るバーリングに構成することにより，前記調節棒における差し込みストロークを，前記抵抗体における板厚さを超えて大きくすることができるから，その全抵抗値の可変範囲を，当該全抵抗値を低くすることなく，大きくすることができる。
【００１５】
また，前記調節棒を，前記請求項３に記載したように，その外周面に前記調節孔の内面に螺合する雄ねじ山を有するねじ体に構成することにより，このねじ体による調節棒を回すことで，その調節孔に対する差し込み深さを，微細に増減できるから，前記全抵抗値の変更を，微細に高い精度で行うことができる。
【００１６】
前記調節棒をねじ体に構成する場合には，請求項４に記載したように，このねじ体のうちドライバ工具の係合部を備えた頭部と前記抵抗体との間に，ばね座金を介挿することにより，前記ねじ体を，ばね座金にて所定の位置に回転不能の状態に保持できるから，変更した全抵抗値が，不測に変動することを確実に阻止することができる。
【００１７】
また，調節棒を構成するねじ体を，請求項５に記載したように，その外周の雄ねじ山によって前記調節孔の内面に雌ねじを刻設するようにしたタッピンねじ体にすることにより，抵抗体における調節孔の内面に予め雌ねじを刻設することなく，この調節孔内に，タッピンねじ体を直接にねじ込むことができるから，コストを低減できる。
【００１８】
更にまた，請求項６に記載したように，前記調節棒を，抵抗体における比抵抗より低い比抵抗の材料製にすることにより，この調節棒における単位差し込みストローク当たりの抵抗値の変化量が小さくなるから，全抵抗値を変更するときにおける精度を更に向上することができる。
【発明を実施するための最良の形態】
【００１９】
以下，本発明の実施の形態を図面について説明する。
【００２０】
図１及び図２は，第１の実施の形態によるチップ抵抗器１を示す。
【００２１】
このチップ抵抗器１は，適宜の比抵抗を有する金属板にてチップ型にした抵抗体２を備えて、この抵抗体２における下面には，その左右両端部に端子電極３，４が設けられるとともに，この両端子電極３，４の間の部分に耐熱性の絶縁膜５が形成されている一方，前記抵抗体２における上面には，耐熱性の絶縁膜６が形成されている。
【００２２】
また，前記抵抗体２における左右両端面２ａ，２ｂ及び前記両端子電極３，４の表面には，半田メッキ層７，８が形成され，この両端子電極３，４の箇所において，プリント基板等に対して半田付け実装するように構成している。
【００２３】
そして，前記抵抗体２のうち前記両端子電極３，４の間の部分に，調節孔９を，当該抵抗体２における上面から下面に向かって貫通するように穿設して，この調節孔９内に，適宜の比抵抗を有する金属材料による調節棒１０を，当該調節孔における軸線方向に差し込み調節可能に挿入している。
【００２４】
前記調節孔９は，その内面に予め雌ねじを設けて成るタップ孔である一方，前記調節棒１０は，その外周に前記調節孔９の内面における雌ねじに螺合する雄ねじを備えたねじ体であり，この調節棒１０としてのねじ体を，前記調節孔９としてのタップ孔内にねじ込むように構成している。
【００２５】
前記調節棒１０としてのねじ体は，その一端に頭部１０ａを一体に備え，この頭部１０ａに，当該調節棒１０を回すためのドライバー工具の係合溝１０ｂを設けるという構成にしている。
【００２６】
この場合，前記調節棒１０としてのねじ体を，その外周の雄ねじ山によって前記調節孔９の内面に雌ねじを刻設するようにしたタッピンねじ体に構成して，このタッピンねじ体を，予め雌ねじを設けていない調節孔９に直接にねじ込むようにすることができ，これにより，前記調節孔９の内面に雌ねじを刻設することに要する抵抗を低減できる。
【００２７】
この構成において，その抵抗体２のうち調節孔９の箇所における断面積は，前記調節棒１０の調節孔９内に対する差し込み深さＳを大きくしたときには大きくなる一方，前記調節棒１０の調節孔９内に対する差し込み深さＳを小さくしたときには小さくなるから，前記抵抗体２における両端子電極３，４間における全抵抗値は，前記調節棒１０の調節孔９に対する差し込み深さＳを深くしたときには低く，差し込み深さＳを浅くしたときには大きくなるというように，前記調節棒１０の前記調節孔９内に対する差し込み調節によって，任意に変更することができる。
【００２８】
前記調節棒１０を，その外周面に前記調節孔９の内面に螺合する雄ねじを有するねじ体に構成したことにより，このねじ体に構成した調節棒１０を，その頭部１０ａの係合部１０ｂにドライバ工具を係合して回すことで，その調節孔１０に対する差し込み深さＳを，微細に増減することができるから，前記全抵抗値の変更を，微細に高い精度で行うことができる。
【００２９】
そして，本発明においては，抵抗体２における調節孔９を，当該抵抗体２における上面から下面に向かって貫通するように穿設することに代えて，この調節孔９を，図３及び図４に示すように，当該調節孔９の軸線が抵抗体２における一方の側面２ｃから横向きに延びるように穿設して，この横向きの調節孔９内に，ねじ体等に構成した調節棒１０を，軸線方向に差し込み調節可能に挿入するように構成しており，その他は，前記した構成と同様である。
【００３０】
また，図５に示すように，ねじ体に構成した調節棒１０の頭部１０ａと抵抗体２との間に，歯付き座金１１等のばね座金を介挿することにより，前記ねじ体を，ばね座金にて所定の位置に回転不能の状態に保持するように構成することができる。
【００３１】
次に，図６は，第２の実施の形態によるチップ抵抗器１′を示す。
【００３２】
このチップ抵抗器１′は，抵抗体２′を比較的薄い金属板製にして，この両端部を下向きに折り曲げることによって，半田付け用の端子電極３′，４′に構成し，前記抵抗体２′の上面及び両端子電極３′，４′の表面に，半田メッキ層７′を形成して成る構成である。
【００３３】
この構成のチップ抵抗器１′においては，前記抵抗体２′のうちこれに穿設される調節孔９′の部分を，前記抵抗体２′を構成する金属板を円筒形に突出変形して成るバーリング１２に構成して，このバーリング１２における前記調節孔９′内に，前記第１の実施の形態と同様に，ねじ体に構成した調節棒１０′を，当該調節孔９′における軸線方向に差し込み調節可能に挿入するように構成する。
【００３４】
この第２の実施の形態によると，前記調節棒１０′における差し込みストロークを，前記抵抗体２′における板厚さＴを超えて大きくすることができるから，その全抵抗値の可変範囲を，当該全抵抗値を低くすることなく，大きくすることができる。
【００３５】
なお，前記各実施の形態は，一つの抵抗体に，一つの調節孔と一つの調節棒とを設けた場合であったが，本発明は，これに限らず，一つの抵抗体に，複数個の調節孔と複数個の調節棒とを設けた構成にしても良いことはいうまでもない。
【図面の簡単な説明】
【００３６】
【図１】第１の実施の形態を示す斜視図である。
【図２】図１のII−II視断面図である。
【図３】第１の実施の形態における変形例を示す斜視図である。
【図４】図３のIV−IV視断面図である。
【図５】第１の実施の形態における別の変形例を示す図である。
【図６】第２の実施の形態を示す縦断正面図である。
【符号の説明】
【００３７】
１，１′              チップ抵抗器
２，２′              抵抗体
３，３′，４，４′    端子電極
９，９′              調節孔
１０，１０′          調節棒
【図１】
0004812375.tif 000002
【図２】
0004812375.tif 000003
【図３】
0004812375.tif 000004
【図４】
0004812375.tif 000005
【図５】
0004812375.tif 000006
【図６】
0004812375.tif 000007